(57)【特許請求の範囲】
【請求項１】
床面、天井及びタンク外周の囲い壁を有する設置空間内に、底壁及び頂壁と、前記囲い壁で支える周壁を有する設置空間とほぼ同一寸法のフレキシブルタンクを折り畳んで搬入し、そのタンクを、前記設置空間の床面上に広げ、設置空間の天井又は天井周辺の囲い壁に取付けたワイヤ案内具から吊り下げたワイヤの一端を前記タンクの上部に連結し、そのワイヤを吊り荷重が分散化される位置に分布させて多数配置し、各ワイヤの他端を天井を伝わせて一箇所に集合させ、しかる後、タンクに大気又はそれに代わる流体を自然又は強制流入させながら集合させたワイヤを引き、そのワイヤでタンクのワイヤ連結部を吊り上げて設置空間内でタンクを立ち上がらせ、その後、タンクに内圧を導入してタンクを膨らませることを特徴とするフレキシブルタンクの設置方法。
【発明の詳細な説明】
【０００１】
【発明の属する技術分野】
この発明は、周囲から画された遊休空間、例えば、ビルの地下空間などに、その空間をほぼ埋めつくす大きさのフレキシブルタンクを設置することを可能ならしめるフレキシブルタンクの設置方法に関する。
【０００２】
【従来の技術】
オフィスビルなどの建物内には、地下空間などの遊休空間があることが多い。その遊休空間の有効利用のために、空間内にタンクを設置することを考えた。タンクは、貯水や、二次電池用電解液、化学薬品、汚水、或いは各種ガスの収納など、多様な利用法が考えられる。
【０００３】
ところが、入口面積が制約され易い建物内の空間に剛体のタンクを設置するのは、入口による搬入規制、分割搬入後に組立てる場合の封止信頼性の低下、組立てのための作業スペースの確保など諸々の問題があって容易でない。
【０００４】
これに対し、ゴムシートやゴム引き布、プラスチックフィルム、プラスチックとメタルの複合フィルムなどで形成された一体成形のフレキシブルタンクは、折り畳んで設置空間内に搬入でき、入口が狭くても設置規制を受け難い。また、継ぎ目がなく、液漏れ防止の信頼性も高い。
【０００５】
そこで、このフレキシブルタンクを設置することを検討した。
【０００６】
【発明が解決しようとする課題】
フレキシブルタンクには、自立式のものと、周囲の構造物で支えて起立状態を保つ非自立式のものが考えられる。
【０００７】
このうち、前者の自立式のフレキシブルタンクは、自立安定性を確保するために設置面積比の高さを相当小さくせねばならない。このため、これを建物内の地下空間等に設置すると空間の上部スペースが空いたままになって有効利用が図れない。
【０００８】
また、自立式のフレキシブルタンクを多段に配置して空間の利用効率を高めることも考えられるが、この方法を採るとタンクを安定して支える強固な架台や棚を空間内に設ける必要があり、経費や設置の手間が増えて好ましくない。
【０００９】
一方、非自立式のフレキシブルタンクは、高さに制限がなく、空間の天井近くまでをほぼ埋めつくすサイズにして空間を有効に利用することができる。
【００１０】
ところが、丈の高い非自立式フレキシブルタンクを、周りが側壁等で囲われている空間内に設置することは、従来は行われていなかった。それには理由がある。
【００１１】
即ち、フレキシブルタンクは折り畳めるので、このタンクを折り畳んで設置空間内に搬入し、その後、床面上に広げるまでの作業は容易に行える。しかしながら、問題はその後の作業である。
【００１２】
床面上に広げたタンクは、通常、内圧を加えて膨らませるが、このとき、タンクの周壁が内圧で周りを囲む側壁等に押し付けられ、摩擦が生じてタンクの立上がりが阻止されてしまう。非自立式のフレキシブルタンクは、大きなものは重量が３００ｋｇを超えるようなものがあり、このようなタンクを立ち上がらせようとすると大きな内圧が必要になるので、前述の摩擦による拘束力が大きくなり、タンクがまともに立ち上がらない。
【００１３】
非自立式タンクを地下空間等に設置するためには、上記の問題を解決しなければならない。
【００１４】
この発明は、その要求に応えた非自立式タンクの設置方法を提供しようとするものである。
【００１５】
【課題を解決するための手段】
上記の課題を解決するため、この発明においては、床面、天井及びタンク外周の囲い壁を有する設置空間内に、底壁及び頂壁と、前記囲い壁で支える周壁を有する設置空間とほぼ同一寸法のフレキシブルタンクを折り畳んで搬入し、そのタンクを、前記設置空間の床面上に広げ、設置空間の天井又は天井周辺の囲い壁に取付けたワイヤ案内具から吊り下げたワイヤの一端を前記タンクの上部に連結し、そのワイヤを吊り荷重が分散化される位置に分布させて多数配置し、各ワイヤの他端を天井を伝わせて一箇所に集合させ、しかる後、タンクに大気又はそれに代わる流体を自然又は強制流入させながら集合させたワイヤを引き、そのワイヤでタンクのワイヤ連結部を吊り上げて設置空間内でタンクを立ち上がらせつつタンクを膨らませる方法を採る。なお、吊り荷重の分散化は、タンクの強度や健全性などに悪影響が出ないようにするために行う。
【００１６】
なお、ここで言う囲い壁とは、立ち上がらせたタンクの周壁を外側から支え、タンクの内圧に耐えてタンクの形状保持を行う壁であり建物自体の側壁や設置空間内に別途設ける仕切り壁などを指す。
【００１７】
【作用】
ワイヤでタンクの上部（頂壁や周壁の上端付近）を吊り上げると、タンクに内圧を加える必要がなく、内圧でタンクが周囲の囲い壁に押し付けられることがなくなる。また、ワイヤでタンクを吊り上げながら若干の内圧を導入するにしても、タンクが膨らむ程度の内圧で十分であるから、内圧による囲い壁への押し付け圧を小さくでき、摩擦による移動抵抗が小さくなってタンクがスムーズに立ち上がる。
【００１８】
従って、この発明の方法によれば、非自立式フレキシブルタンクを地下空間等に設けて遊休空間を有効に利用することが可能になる。
【００１９】
なお、立ち上がらせたタンクは、囲い壁で支えて起立状態を保持し、この状態で流動性のある収納物を出し入れする。
【００２０】
【発明の実施の形態】
図１に、この発明の方法で設置する非自立式フレキシブルタンクの一例を示す。
【００２１】
このタンク１は、ゴムシート、ゴム引き布、プラスチックシート、プラスチックラミネート布、プラスチックと金属箔のラミネートシート等で形成されたものであり、底壁１ａと、周壁１ｂと、頂壁１ｃを有している。また、適当な位置に、流動性のある収納物の出入り口（図示せず）を有している。例示のタンクは、角タンクであるが、その形状は特に問わず、円筒状のものも考えられる。
【００２２】
このタンク１の頂壁側周縁部の全域に適当な間隔をあけてベルトや紐などで作られたフック掛け２を取付けておく。
【００２３】
このタンク１は、出入り口が開放されていると自重で潰れて扁平になる。その扁平なタンクを開き易いように折り畳み（ここでは巻取りも折り畳みとみなす）、現場に運んで入口から図２、図３に示す設置空間３内に入れる。図２の設置空間３は、入口４の部分を除いて四方が図３に示す床面３ａと、天井３ｂと、側壁３ｃによって囲われている。
【００２４】
この空間３の天井３ｂ等に、図４に示すようなワイヤ案内具５を予め取付けておく。また、側壁３ｃにも、図５に示すようなハンガー６を予め取付けておく。このワイヤ案内具５とハンガー６は、フック掛け２に対応させて必要個数を指定位置に設けておく。ワイヤ案内具５は、天井３ｂや天井周辺の側壁３ｃに取付け、ハンガー６は、天井３ｂ付近に設ける。
【００２５】
さらに、各ワイヤ案内具５の案内溝５ａにワイヤ７を通し、そのワイヤ７の一端を床の近くまで垂らし、ワイヤ７の他端を天井３ｂを伝わせ、集合具８（図２）の孔に通して１箇所に集合させておく。ワイヤの他端は、引張り作業を支障無く行うために、入口４の位置に導いている。
【００２６】
タンク１は、設置空間３内にほぼ適合して納まるサイズ又は設置空間３よりも若干大きいサイズ（幅、奥行き、高さとも空間のサイズよりも１０％程度以下の範囲で大きくしたものが好ましい。）にしておき、このタンク１を折り畳んで設置空間３内に搬入したら、その空間内で頂壁１ｃを上にして床面３ａ上に広げる。
【００２７】
その後、ワイヤ７の一端をタンクの頂壁側周縁部に設けたフック掛け２にフック９等を使用して掛け、以上の下準備ができたら滑車１０に適したワイヤ７の他端をウィンチ等で引っ張ってタンク１を吊り上げていく。このとき、タンク１の底壁が持ち上がらないように、タンク１は収納物の出入り口を開いて（空気抜き口があればそれを開いてもよい）大気やそれに代わる流体を導入する。また、頂壁１ｃの全域が均等に持ち上がるように、必要に応じて各ワイヤの引っ張り具合を調整する。タンク１の底壁は予め床面に接着剤等で固定してもよい。
【００２８】
そして、吊り上げを完了したら、フック掛け２を側壁に取付けてあるハンガー６に掛け換え（これは天井との隙間に作業者が入って行う）、その後、タンク１に空気圧等の内圧を導入してタンク１を膨らませる。
【００２９】
作業時間の短縮のためにタンク１の上部をワイヤ７で吊り上げるときに低圧空気等をタンク内に導入し、吊り上げと同時にタンク１を膨らませる。
【００３０】
内圧を加えてタンクを膨らませると、タンクの立ち上げと同時に気密性チェックを行え、また、タンクのしわ等を除去することもできるが、１回の膨張では目的を充分に達し得ないことがあるので、好ましくはこの後、監視カメラやスコープでタンク内を監察して不都合なしわ等が残っていたら、減圧と再加圧を行って不都合な部分を無くす。このしわ除去のための作業については、タンクの加圧、減圧に加えてワイヤ７を上下させるのも効果的である。
【００３１】
なお、支障が無ければ、ワイヤ７をそのまま残し、タンク１の吊り上げ状態をこのワイヤ７で保持することもできる。この場合、ハンガー６は不要である。
【００３２】
また、タンクを搬入する前に、設置空間３の床面に滑性の良いシートを敷いたり、粉末の潤滑剤を撒いたりすると、床面との摩擦が低減され、タンク広げの作業がし易くなる。タンクの周壁と側壁との摩擦も潤滑剤を使って柔らげることができ、これは流体を強制流入させながらタンクの吊り上げを行うときに効力を発揮する。
【００３３】
図６は、ワイヤ案内具５として図７に示すような滑車を採用し、その滑車を天井３ｂに取付け、滑車から吊り下げたワイヤ７の先端のフック９をタンク１の頂壁１ｃに設けたフック掛け１１に掛けてタンク１の頂壁に吊り上げ力を加える例を示している。
【００３４】
このように、タンク１の立ち上げは、タンクの頂壁を吊り上げて行ってもよいし、よりバランスのよい吊り上げのためにタンクの頂壁と周壁の双方を同時に吊り上げて行ってもよい。
【００３５】
また、ワイヤ案内具５は、天井に添わせたワイヤ７を下向きに方向転換させられるものであればよく、図７に示すようなガイド穴付きの円盤５ａと、この円盤と円盤取付面との間にワイヤ通路を作り出すスペーサ５ｂとから成るもの、その両者を重ねて一体成形したようなものなどでもよい。これ等のワイヤ案内具５は、用済み後取外してもよいし、差支えがなければ、そのまま残してもよい。
【００３６】
【発明の効果】
以上述べたように、この発明の方法では、床面上に広げたフレキシブルタンクの上部をワイヤで吊り上げるので、タンクが内圧で囲い壁にきつく密着することが無く、立ち上りがスムーズになって確実な立ち上がりが保証される。
【００３７】
従って、地下空間などの入口の狭い空間内にも天井付近までの空間を有効に利用できる非自立性のフレキシブルタンクを設置することが可能になり、遊休空間の有効活用が図れる。
【図面の簡単な説明】
【図１】（ａ）この発明の方法で設置する非自立式タンクの一例を示す斜視図
（ｂ）同上のタンクの吊り具取付け部の拡大斜視図
【図２】この発明の方法の説明図
【図３】図２のIII −III 線部の断面図
【図４】ワイヤ案内具の一例を示す斜視図
【図５】掛け金具の一例を示す斜視図
【図６】タンク頂壁を吊り上げる例を示す図
【図７】（ａ）ワイヤ案内具の他の例を示す斜視図
（ｂ）同一の案内具の断面図
【符号の説明】
１  非自立式フレキシブルタンク
２  フック掛け
３  設置空間
３ａ  床
３ｂ  天井
３ｃ  側壁
４  入口
５  ワイヤ案内具
６  ハンガー
７  ワイヤ
８  集合具
９  フック
１０  滑車
【図１】
0004261018.tif 000002
【図２】
0004261018.tif 000003
【図３】
0004261018.tif 000004
【図４】
0004261018.tif 000005
【図５】
0004261018.tif 000006
【図６】
0004261018.tif 000007
【図７】
0004261018.tif 000008